(57)【要約】【課題】単発的な異常流量による、ガス流路の誤遮断を効果的に防止することができる電子式ガスメータを提供する。【解決手段】瞬時流量遮断判定値の上限値及び下限値を予め記憶する記憶手段１６と、流量センサから得られる瞬時流量の生データと上限値及び下限値とを比較する比較手段３Ａと、生データが上限値又は下限値を超えたときには、この生データをそれぞれ上限値又は下限値に置換した値を瞬時流量として採用し、生データが上限値及び下限値の範囲内のときには、この生データをそのまま瞬時流量として採用する瞬時流量算出手段３Ｂと、瞬時流量算出手段にて算出された瞬時流量を所定期間内で合計する瞬時流量合計手段３Ｃと、を含む。【選択図】図１
2005214923.tif 000002
【特許請求の範囲】
【請求項１】
ガスの瞬時流量の合計値或いは平均値と予め定められた合計流量遮断判定値とを比較することにより、ガス流路を遮断制御する電子式ガスメータにおいて、
瞬時流量遮断判定値の上限値及び下限値を予め記憶する記憶手段と、
流量センサから得られる瞬時流量の生データと前記上限値及び前記下限値とを比較する比較手段と、
前記生データが前記上限値又は前記下限値を超えたときには、この生データをそれぞれ前記上限値又は前記下限値に置換した値を前記瞬時流量として採用し、前記生データが前記上限値及び前記下限値の範囲内のときには、この生データをそのまま前記瞬時流量として採用する瞬時流量算出手段と、
前記瞬時流量算出手段にて算出された前記瞬時流量を所定期間内で合計する瞬時流量合計手段と、
を含むことを特徴とする電子式ガスメータ。
【請求項２】
請求項１記載の電子式ガスメータにおいて、
前記記憶手段は、前記上限値及び前記下限値の両値に替えて、少なくとも前記上限値を予め記憶し、
前記比較手段は、前記上限値及び前記下限値の両値に替えて、前記上限値と前記生データとを比較する、
ことを特徴とする電子式ガスメータ。
【請求項３】
請求項１記載の電子式ガスメータにおいて、
前記記憶手段は、前記上限値及び前記下限値の両値に替えて、これら両値のうちの少なくともひとつを予め記憶し、
前記比較手段は、前記上限値及び前記下限値の両値に替えて、これら両値のうちの少なくともひとつと前記生データとを比較する、
ことを特徴とする電子式ガスメータ。
【請求項４】
ガスの瞬時流量の合計値或いは平均値と予め定められた合計流量遮断判定値とを比較することにより、ガス流路を遮断制御する電子式ガスメータにおいて、
通常モード及び遮断中モードにおけるそれぞれの瞬時流量遮断判定値の上限値及び下限値を予め記憶する記憶手段と、
前記通常モードか前記遮断中モードかを判定するモード判定手段と、
前記モード判定手段にて判定されたモードに対応する上限値及び下限値を設定する設定手段と、
流量センサから得られる瞬時流量の生データと前記上限値及び前記下限値とを比較する比較手段と、
前記生データが前記上限値又は前記下限値を超えたときには、この生データをそれぞれ前記上限値又は前記下限値に置換した値を前記瞬時流量として採用し、前記生データが前記上限値及び前記下限値の範囲内のときには、この生データをそのまま前記瞬時流量として採用する瞬時流量算出手段と、
前記瞬時流量算出手段にて算出された前記瞬時流量を所定期間内で合計する瞬時流量合計手段と、
を含むことを特徴とする電子式ガスメータ。
【発明の詳細な説明】
【技術分野】
【０００１】
本発明は、電子式ガスメータに関し、特に、ガスの瞬時流量の合計値或いは平均値と予め定められた合計流量遮断判定値とを比較することにより、ガス流路を遮断制御する機能を備えた電子式ガスメータに関する。
【背景技術】
【０００２】
この種の電子式ガスメータには、保安用に合計流量という尺度を用いて、異常時にガス流路の遮断制御を行う機能を備えたものがある。この合計流量を用いた制御においては、合計流量遮断判定値とよばれる、所定時間内における、予め定められたガス流量の合計値（或いは、この合計値に基づく平均瞬時流量）のしきい値と、実際に計測された瞬時流量の合計値（或いは、この合計値に基づく平均瞬時流量）とが比較され、遮断制御されるようになっている。
【０００３】
ところで、この種の電子式ガスメータにおいては、ガスの瞬時流量を計測するためのセンサとして、超音波信号を用いたタイプが普及している。このセンサは、周知のように、ガス流路に一対の超音波振動子が設置されて構成され、両振動子間の信号伝搬時間差によって瞬時流量が求めるられるようになっている。
【発明の開示】
【発明が解決しようとする課題】
【０００４】
上記センサは非常に高精度に流量を検出できる反面、外的なノイズの影響を受けやすいという特徴を持っている。周知のように、ガスメータは屋外に配置されることも多く、例えば、違法無線や携帯電話の電磁波等の外的なノイズを受けやすい環境にある。そうすると、瞬時流量は、通常使用範囲を超えて非常に大きな値として計測されることもありうる。また、バルブの切替等による瞬間的なガスの移動もありうる。
【０００５】
しかしながら、従来の電子式ガスメータでは、このような突発的な異常流量も、通常使用と同様に合計値に加算されるようになっている。したがって、瞬時流量の合計値が、合計流量遮断判定値を簡単に突破してしまい、ガス流路が簡単に誤遮断されてしまう。この結果、異常警報が発せられて、ガス業者の無用な出勤を招くことになっていた。
【０００６】
よって本発明は、上述した現状に鑑み、単発的な異常流量による、ガス流路の誤遮断を効果的に防止することができる電子式ガスメータを提供することを課題としている。
【課題を解決するための手段】
【０００７】
上記課題を解決するためになされた請求項１記載の電子式ガスメータは、図１（Ａ）に示すように、ガスの瞬時流量の合計値或いは平均値と予め定められた合計流量遮断判定値とを比較することにより、ガス流路を遮断制御する電子式ガスメータにおいて、瞬時流量遮断判定値の上限値及び下限値を予め記憶する記憶手段１６と、流量センサから得られる瞬時流量の生データと前記上限値及び前記下限値とを比較する比較手段３Ａと、前記生データが前記上限値又は前記下限値を超えたときには、この生データをそれぞれ前記上限値又は前記下限値に置換した値を前記瞬時流量として採用し、前記生データが前記上限値及び前記下限値の範囲内のときには、この生データをそのまま前記瞬時流量として採用する瞬時流量算出手段３Ｂと、前記瞬時流量算出手段にて算出された前記瞬時流量を所定期間内で合計する瞬時流量合計手段３Ｃと、を含むことを特徴とする。
【０００８】
請求項１記載の発明によれば、流量センサから得られる瞬時流量が瞬時流量遮断判定値の上限値又は下限値を超えたときには、瞬時流量の生データをそれぞれ上限値又は下限値に置換した値を瞬時流量として採用し、上限値及び下限値の範囲内のときには、この生データをそのまま瞬時流量として採用する。そして、このような瞬時流量を所定期間内で合計した値を、予め定められた合計流量遮断判定値とを比較することにより、ガス流路を遮断制御するようにしている。
【０００９】
上記課題を解決するためになされた請求項２記載の電子式ガスメータは、請求項１記載の電子式ガスメータにおいて、前記記憶手段は、前記上限値及び前記下限値の両値に替えて、少なくとも前記上限値を予め記憶し、前記比較手段は、前記上限値及び前記下限値の両値に替えて、前記上限値と前記生データとを比較する、ことを特徴とする。
【００１０】
請求項２記載の発明によれば、少なくとも瞬時流量遮断判定値の上限値が予め記憶され、この上限値と瞬時流量の生データとが比較され、生データが上限値を超えたときには、瞬時流量としてこの上限値を採用して、これに基づきガス流路を遮断制御するようにしている。
【００１１】
上記課題を解決するためになされた請求項３記載の電子式ガスメータは、請求項１記載の電子式ガスメータにおいて、前記記憶手段は、前記上限値及び前記下限値の両値に替えて、これら両値のうちの少なくともひとつを予め記憶し、前記比較手段は、前記上限値及び前記下限値の両値に替えて、これら両値のうちの少なくともひとつと前記生データとを比較する、ことを特徴とする。
【００１２】
請求項３記載の発明によれば、瞬時流量遮断判定値の上限値及び下限値のうちの少なくともひとつが予め記憶され、これら両値のうちの少なくともひとつと瞬時流量の生データとが比較され、生データが上限値又は下限値を超えたときには、瞬時流量としてこの上限値又は下限値を採用して、これに基づきガス流路を遮断制御するようにしている。
【００１３】
上記課題を解決するためになされた請求項４記載の電子式ガスメータは、図１（Ｂ）に示すように、ガスの瞬時流量の合計値或いは平均値と予め定められた合計流量遮断判定値とを比較することにより、ガス流路を遮断制御する電子式ガスメータにおいて、通常モード及び遮断中モードにおけるそれぞれの瞬時流量遮断判定値の上限値及び下限値を予め記憶する記憶手段１６と、前記通常モードか前記遮断中モードかを判定するモード判定手段３Ｄと、前記モード判定手段にて判定されたモードに対応する上限値及び下限値を設定する設定手段３Ｅと、流量センサから得られる瞬時流量の生データと前記上限値及び前記下限値とを比較する比較手段３Ａと、前記生データが前記上限値又は前記下限値を超えたときには、この生データをそれぞれ前記上限値又は前記下限値に置換した値を前記瞬時流量として採用し、前記生データが前記上限値及び前記下限値の範囲内のときには、この生データをそのまま前記瞬時流量として採用する瞬時流量算出手段３Ｂと、前記瞬時流量算出手段にて算出された前記瞬時流量を所定期間内で合計する瞬時流量合計手段３Ｃと、を含むことを特徴とする。
【００１４】
請求項４記載の発明によれば、流量センサから得られる瞬時流量が瞬時流量遮断判定値の上限値又は下限値を超えたときには、瞬時流量の生データをそれぞれ、通常モード又は遮断中モードに対応する上限値又は下限値に置換した値を瞬時流量として採用し、上限値及び下限値の範囲内のときには、この生データをそのまま瞬時流量として採用する。そして、このような瞬時流量を所定期間内で合計した値を、予め定められた合計流量遮断判定値とを比較することにより、ガス流路を遮断制御するようにしている。
【発明の効果】
【００１５】
請求項１記載の発明によれば、流量センサから得られる瞬時流量が瞬時流量遮断判定値の上限値又は下限値を超えたときには、瞬時流量の生データをそれぞれ上限値又は下限値に置換した値を瞬時流量として採用し、上限値及び下限値の範囲内のときには、この生データをそのまま瞬時流量として採用する。そして、このような瞬時流量を所定期間内で合計した値を、予め定められた合計流量遮断判定値とを比較することにより、ガス流路を遮断制御するようにしている。したがって、単発的な異常流量による、ガス流路の誤遮断を防止することができる。また、異常流量を無視することなく、上限値又は下限値に置換するようにしているので、突発的な異常流量が連続して計測された場合には、ガス流路は確実に遮断される。
【００１６】
請求項２記載の発明によれば、少なくとも瞬時流量遮断判定値の上限値が予め記憶され、この上限値と瞬時流量の生データとが比較され、生データが上限値を超えたときには、瞬時流量としてこの上限値を採用して、これに基づきガス流路を遮断制御するようにしている。このように、より発生確率の高い上限値を利用するようにしているので、ソフトウエアを肥大化させることなく、効果的にガス流路の誤遮断を防止できる。
【００１７】
請求項３記載の発明によれば、瞬時流量遮断判定値の上限値及び下限値のうちの少なくともひとつが予め記憶され、これら両値のうちの少なくともひとつと瞬時流量の生データとが比較され、生データが上限値又は下限値を超えたときには、瞬時流量としてこの上限値又は下限値を採用して、これに基づきガス流路を遮断制御するようにしている。このように、上限値及び下限値のうちの少なくともひとつを利用するようにしているので、ソフトウエアを肥大化させることなく、効果的にガス流路の誤遮断を防止できる。
【００１８】
請求項４記載の発明によれば、流量センサから得られる瞬時流量が瞬時流量遮断判定値の上限値又は下限値を超えたときには、瞬時流量の生データをそれぞれ、通常モード又は遮断中モードに対応する上限値又は下限値に置換した値を瞬時流量として採用し、上限値及び下限値の範囲内のときには、この生データをそのまま瞬時流量として採用する。そして、このような瞬時流量を所定期間内で合計した値を、予め定められた合計流量遮断判定値とを比較することにより、ガス流路を遮断制御するようにしている。このように、モードに対応する上限値及び下限値を採用することにより、単発的な異常流量による、ガス流路の誤遮断をより確実に防止することができる。また、異常流量を無視することなく、上限値又は下限値に置換するようにしているので、突発的な異常流量が連続して計測された場合には、ガス流路は確実に遮断される。
【発明を実施するための最良の形態】
【００１９】
以下、本発明の実施の形態を図面に基づいて説明する。図２は、本発明の実施形態に係るハードウエア構成の一例を示すブロック図である。
【００２０】
図２に示すように、ガス流路１０の途中には、一対の超音波信号振動子４、５がガス流路１０に所定の角度をもって配設されている。これらの超音波信号振動子４、５は、切替スイッチ１３、１４を介して超音波信号振動子駆動回路１に接続されており、（マイクロコンピュータ）マイコン３に指令されて、波線矢印で示すように交互に流速測定用の超音波信号を送信する。
【００２１】
超音波信号振動子４、５はまた、切替スイッチ１１、１２を介して超音波信号受信増幅回路２にも接続されており、マイコン３に指令されて、上記交互に送信される超音波信号の送信タイミングに同期して、交互に超音波信号を受信する。すなわち、超音波信号振動子４、５は共に、流速測定用の超音波信号の送受信機能を備えており、一方が送信機として機能しているとき他方は受信機として機能し、一方が受信機として機能しているとき他方は送信機として機能するように、送受信動作を交互に行うように制御されている。
【００２２】
超音波信号受信増幅回路２は、上記超音波信号振動子４、５から供給される流速に応じた電気信号を受けて増幅する。この増幅された電気信号はここではアナログ信号なので、Ａ／Ｄ変換器８でマイコン３のＣＰＵで処理できるようなディジタル信号に変換されて、ＣＰＵに供給される。
【００２３】
マイコン３は、ＣＰＵ、ＲＯＭ及びＲＡＭを含む。ＲＯＭには流速検出及び流量算出のための基本プログラムや後述の実施形態に関わる制御プログラムが予め格納される。ＣＰＵはＲＯＭに格納されるプログラムにしたがって動作する。ＲＡＭは、基本的にＣＰＵが行う処理の過程で発生する変数、データを一時的に格納するワークエリアとして機能する。なお、マイコン３は、後述するサンプリング時刻等を計時するためのタイマ機能も含む。
【００２４】
マイコン３は、例えば、１秒毎に上記超音波信号振動子４、５が送受信動作をするように制御し、これに基づいて瞬時流量の算出及び積算処理を行っている。そして、後述の図３又は図４で示すような処理手順を含む遮断制御を行っている。そして、異常が検出されると異常処理として、表示部６から異常警報が出されたり、管理センタに異常通報されたり、遮断弁制御機構７により遮断弁９が継続的に遮断制御される。この表示部６は、公知のＬＣＤやＬＥＤが用いられる。遮断弁制御機構７も公知のガス管路遮断機構が用いられる。なお、マイコン３は、瞬時流量の積算処理により、ガス使用量の計算も行っている。
【００２５】
記憶部１６には、第１実施形態では瞬時流量遮断判定値の上限値及び下限値、第２実施形態では通常モード及び遮断中モードにおけるそれぞれの瞬時流量遮断判定値の上限値及び下限値が予め記憶されている。記憶部１６は、請求項中の記憶手段に対応する。
【００２６】
なお、超音波信号を利用して、ガス流路１０を通過する太線矢印で示す燃料ガス等の流体の流量を、両超音波信号振動子４、５間の上り下りの信号伝搬時間差を利用して測定する方法は、周知の方法が採用されるので、ここでは説明を省略する。
【００２７】
次に、図３を用いて、本発明の第１実施形態に係る処理手順について説明する。図３は、本発明の第１実施形態に係る処理手順を示すフローチャートである。
【００２８】
図３に示す処理手順は、合計流量を利用した遮断制御の一部であり、本発明の特徴となる部分を示すものである。まず、ステップＳ１０１においては、周知のように、所定サンプリング時点における、両超音波振動子４、５間の信号伝搬時間差によって瞬時流量Ｒｎが計測される。なお、この段階での瞬時流量Ｒｎは、請求項中の生データに対応する。
【００２９】
続いて、ステップＳ１０２及びステップＳ１０３において、この瞬時流量Ｒｎが、記憶部１６に予め格納されている瞬時流量遮断判定値の上限値及び下限値と比較される。ここで、瞬時流量Ｒｎが上限値及び下限値で規定される範囲内に収まっていればステップＳ１０４に進み（ステップＳ１０２のＮ且つステップＳ１０３のＮ）、瞬時流量Ｒｎが下限値よりも小ければステップＳ１０５に進み（ステップＳ１０２のＮ且つステップＳ１０３のＹ）、瞬時流量Ｒｎが上限値よりも大きければステップＳ１０６に進む（１０２のＹ）。ステップＳ１０２及びステップＳ１０３は、請求項１中の比較手段に対応する。
【００３０】
なお、瞬時流量遮断判定値の上限値及び下限値は、ガスメータの規格や仕様等によって具体的に決定されるが、ここでは、例えば、上限値及び下限値はそれぞれ、１００００Ｌ／ｈ及び−１０００Ｌ／ｈに設定されているものとする。
【００３１】
ステップＳ１０４においては、計測された瞬時流量Ｒｎが上限値及び下限値で規定される範囲内に収まっているので、この瞬時流量Ｒｎをそのまま合計流量の算出のために用いる。また、ステップＳ１０５においては、計測された瞬時流量Ｒｎを下限値に置換した値を合計流量の算出のための瞬時流量として採用し、ステップＳ１０６においては、計測された瞬時流量Ｒｎを上限値に置換した値を合計流量の算出のための瞬時流量として採用する。ステップＳ１０４、ステップＳ１０５、ステップＳ１０６は、請求項１中の瞬時流量算出手段に対応する。
【００３２】
例えば、計測された瞬時流量Ｒｎが１２０００Ｌ／ｈのときには合計流量算出のために１００００Ｌ／ｈが採用され、計測された瞬時流量Ｒｎが−２０００Ｌ／ｈのときには合計流量算出のために−１０００Ｌ／ｈが採用されることになる。
【００３３】
ステップＳ１０７においては、次のサンプリング時刻が待機されており（ステップＳ１０７のＮ）、次のサンプリング時刻になると（ステップＳ１０７のＹ）、ステップＳ１０１にもどって上記処理が繰り返される。そして、この繰り返しの中で、例えば、最新の５回のサンプリング回数内における、予め定められたガス流量の合計値（或いは、この合計値に基づく平均瞬時流量）のしきい値と、実際に計測された瞬時流量の合計値（或いは、この合計値に基づく平均瞬時流量）とが比較され、遮断制御されるようになっている。この処理は、請求項１中の瞬時流量合計手段に対応する。
【００３４】
ここで、上記処理手順を具体的数値を用いて第１実施形態の効果について説明する。ここでは、最新の５つのサインプリング時点における瞬時流量の平均値と、予め定められている合計流量遮断判定値（平均値）とが比較されて、この比較結果に基づき遮断制御されるものとする。例えば、合計流量遮断判定値の上限値が２５００Ｌ／ｈとして設定されており、流量ゼロの状態において、１２５００Ｌ／ｈの瞬時流量が単発的に計測されたものとする。この場合、従来では、この単発により瞬時流量の平均値は２５００Ｌ／ｈとなり即座にガス流路１０が遮断される。この瞬時流量は単発なので誤遮断となる。ところが、本実施形態によると、瞬時流量の平均値は２０００Ｌ／ｈとなるので、即座にガス流路１０は遮断されない。すなわち、単発的な異常流量による誤遮断が防止される。下限値の場合にも同様の効果が得られる。
【００３５】
更に、図４を用いて、本発明の第２実施形態に係る処理手順について説明する。図４は、本発明の第２実施形態に係る処理手順を示すフローチャートである。
【００３６】
図４に示す処理手順も、合計流量を利用した遮断制御の一部であり、本発明の特徴となる部分を示すものである。まず、ステップＳ２０１においては、周知のように、所定サンプリング時点における、両超音波振動子４、５間の信号伝搬時間差によって瞬時流量Ｒｎが計測される。なお、この段階での瞬時流量Ｒｎは、請求項中の生データに対応する。
【００３７】
続いて、モード判定が行われる。すなわち、ステップＳ２０２において、通常モードか否かが判定され、通常モードと判定されたときにはステップＳ２０３に進み（ステップＳ２０２のＹ）、遮断中モードと判定されたときにはステップＳ２０４に進む（ステップＳ２０２のＮ）。遮断中モードとは、何らかの理由で遮断弁９が弁閉されている異常状態であり、通常モードとは遮断弁９が弁開されている通常状態である。ステップＳ２０２は、請求項４中のモード判定手段に対応する。
【００３８】
なお、遮断中モード時では、基本的にガスの流れは発生しないはずであるので、逆に、ガスの流れは発生しているときが異常、すなわち、遮断異常となる。この遮断異常を検出するために、遮断中モードにおいても、通常モード時と同様に瞬時流量が計測されて、合計流量に基づいて、遮断異常が監視されるようになっている。但し、この場合の合計流量遮断判定値の上限値及び下限値は、通常モード時と異なり非常に小さな値が設定される。遮断中モード時においても、通常モード時と同様に、単発的な異常流量は発生しうるので、通常モード時と同様の置換処理（置換する上限値及び下限値は遮断中モード時用の値が採用される）を第２実施形態では付加している。
【００３９】
通常モードと判定されたステップＳ２０３においては、合計流量遮断判定値の上限値及び下限値として通常モード時上限値及び下限値が記憶部１６から読み出されて設定される。これらの値は、例えば、上記第１実施形態の上限値及び下限値と同等である。
【００４０】
遮断中モードと判定されたステップＳ２０４においては、合計流量遮断判定値の上限値及び下限値として遮断中モード時上限値及び下限値が記憶部１６から読み出されて設定される。これらの値はそれぞれ、例えば、１０００Ｌ／ｈ及び−１０００Ｌ／ｈとする。ステップＳ２０３、ステップＳ２０４は、請求項４中の設定手段に対応する。
【００４１】
このように各モードに対応した合計流量遮断判定値の上限値及び下限値が設定されると、ステップＳ２０５及びステップＳ２０６に進む。以降の処理は、上記第１実施形態のステップＳ１０２及びステップＳ１０３以降の処理と同様である。すなわち、ステップＳ２０５及びステップＳ２０６においては、計測された瞬時流量Ｒｎが、モードに応じて設定された上限値及び下限値と比較される。ここで、瞬時流量Ｒｎが上限値及び下限値で規定される範囲内に収まっていればステップＳ２０７に進み（ステップＳ２０５のＮ且つステップＳ２０６のＮ）、瞬時流量Ｒｎが下限値よりも小ければステップＳ２０８に進み（ステップＳ２０５のＮ且つステップＳ２０６のＹ）、瞬時流量Ｒｎが上限値よりも大きければステップＳ２０９に進む（ステップＳ２０５のＹ）。ステップＳ２０５及びステップＳ２０６は、請求項４中の比較手段に対応する。
【００４２】
なお、瞬時流量遮断判定値の上限値及び下限値は、例えば、上限値及び下限値はそれぞれ、１００００Ｌ／ｈ及び−１０００Ｌ／ｈに設定されているものとする。
【００４３】
ステップＳ２０７においては、計測された瞬時流量Ｒｎが上限値及び下限値で規定される範囲内に収まっているので、この瞬時流量Ｒｎをそのまま合計流量の算出のために用いる。また、ステップＳ２０８においては、計測された瞬時流量Ｒｎを下限値に置換した値を合計流量の算出のための瞬時流量として採用し、ステップＳ２０９においては、計測された瞬時流量Ｒｎを上限値に置換した値を合計流量の算出のための瞬時流量として採用する。ステップＳ２０７、ステップＳ２０８、ステップＳ２０９は、請求項４中の瞬時流量算出手段に対応する。
【００４４】
例えば、計測された瞬時流量Ｒｎが１２０００Ｌ／ｈのときには合計流量算出のために１００００Ｌ／ｈが採用され、計測された瞬時流量Ｒｎが−２０００Ｌ／ｈのときには合計流量算出のために−１０００Ｌ／ｈが採用されることになる。
【００４５】
ステップＳ２１０においては、次のサンプリング時刻が待機されており（ステップＳ２１０のＮ）、次のサンプリング時刻になると（ステップＳ２１０のＹ）、ステップＳ２０１にもどって上記処理が繰り返される。そして、この繰り返しの中で、例えば、最新の５回のサンプリング回数内における、予め定められたガス流量の合計値（或いは、この合計値に基づく平均瞬時流量）のしきい値と、実際に計測された瞬時流量の合計値（或いは、この合計値に基づく平均瞬時流量）とが比較され、遮断制御されるようになっている。この処理は、請求項４中の瞬時流量合計手段に対応する。
【００４６】
第２実施形態も上記第１実施形態と同様の効果が得られるが、第２実施形態では、更に、モード毎に合計流量遮断判定値の上限値及び下限値を切替ることにより、より確実にガス流路の誤遮断をより防止することができるようになる。
【００４７】
以上のように、本発明によれば、単発的な異常流量による、ガス流路の誤遮断を効果的に防止することができる。したがって、誤遮断によるガス業者の無駄な出勤を防止することができる。
【００４８】
なお、上記実施形態で例示した数値は一例であり本発明を特定するものではない。また、上記実施形態では、合計流量遮断判定値の上限値及び下限値の両値を設定する例を示したが、これら両値のうちのひとつを利用するようにしても従来よりも誤遮断を改善することができる。この場合、より発生確率の高い上限値のみを利用するようにすると、ソフトウエアをいたずらに肥大化させることなく、従来よりも大幅に誤遮断を改善することができる。
【図面の簡単な説明】
【００４９】
【図１】図１（Ａ）及び図１（Ｂ）は、本発明の基本構成を示すブロック図である。
【図２】本発明の実施形態に係るハードウエア構成の一例を示すブロック図である。
【図３】本発明の第１実施形態に係る処理手順を示すフローチャートである。
【図４】本発明の第２実施形態に係る処理手順を示すフローチャートである。
【符号の説明】
【００５０】
１  超音波振動子駆動回路
２  超音波受信増幅回路
３  マイクロコンピュータ
４、５  超音波振動子
６  表示部
７  遮断弁制御機構
８  Ａ／Ｄ変換器
９  遮断弁
１０  ガス流路
１１〜１４  切替スイッチ
１６  記憶部（記憶手段）
【図１】
2005214923.tif 000003
【図２】
2005214923.tif 000004
【図３】
2005214923.tif 000005
【図４】
2005214923.tif 000006